(57)【要約】【課題】非接触通信機能を有するメモリカードが装着された場合に所望の通信距離を確保することができる小型のメモリカード用アダプタを提供する。【解決手段】アダプタ本体を構成するベース３の表面にはミニＳＤカードを収納するカード収納部３ａが設けられ、このカード収納部３ａにはミニＳＤカードの備える２個のアンテナ接続端子に対応して２個のスルーホール３ｅが形成されている。またカード収納部３ａには、各々のスルーホール３ｅに基部を挿入した状態で２本のコンタクト９が配置されている。各コンタクト９の先端部には、カード収納部３ａに挿入されるミニＳＤカードのアンテナ接続端子に弾接する弾接ばね片９ｂが設けてある。ベース３の裏面には一方のスルーホール３ｅを起点として、他方のスルーホール３ｅを終点とするループ状のアンテナパターン１０が複数ターン（例えば３ターン）形成されている。【選択図】図１
2006318217.tif 000002
【特許請求の範囲】
【請求項１】
非接触通信機能を有する小型メモリカードを装着して、小型メモリカードよりも外形が大きい大型メモリカード用のソケットに前記小型メモリカードを電気的且つ機械的に接続するためのメモリカード用アダプタであって、
大型メモリカードと略同じ形状に形成され、小型メモリカードを収納するカード収納室を有し、外部よりカード収納室にメモリカードを挿入するためのカード挿入口が一面に開口するアダプタ本体と、
それぞれカード収納室に配置され、カード挿入口を通してカード収納室の内部に挿入される小型メモリカードのＩ／Ｏ接続端子に電気的に接続されるとともに、前記ソケットに装着した際にソケットの接続端子に電気的に接続される複数の導電部材と、
アダプタ本体に設けたスルーホールに基部を挿入した状態でカード収納室の内部に配置され、カード挿入口を通してカード収納室の内部に挿入される小型メモリカードのアンテナ接続用端子と弾接する弾接ばね片が先端部に設けられたコンタクトと、
アダプタ本体の外表面に設けられ前記スルーホールを介して前記コンタクトに電気的に接続されるアンテナ回路とを備えて成ることを特徴とするメモリカード用アダプタ。
【請求項２】
前記アンテナ回路は、前記アダプタ本体の外周縁に沿って前記外表面に形成されたループ状のアンテナパターンを有することを特徴とする請求項１記載のメモリカード用アダプタ。
【請求項３】
前記アンテナ回路とメモリカードとの間に磁性体を配置したことを特徴とする請求項１又は２記載のメモリカード用アダプタ。
【請求項４】
前記アンテナ回路の表面を絶縁体で被覆したことを特徴とする請求項１乃至３の何れか１つに記載のメモリカード用アダプタ。
【請求項５】
前記アンテナ回路が高周波特性を調整するための電子部品を備えることを特徴とする請求項１乃至４の何れか１つに記載のメモリカード用アダプタ。
【請求項６】
前記アダプタ本体の表面に凹部を設け、この凹部に前記電子部品を配置したことを特徴とする請求項５記載のメモリカード用アダプタ。
【請求項７】
前記アダプタ本体の少なくとも一部を、前記アンテナ回路が形成された立体回路成型部品で構成したことを特徴とする請求項１乃至６の何れか１つに記載のメモリカード用アダプタ。
【発明の詳細な説明】
【技術分野】
【０００１】
本発明は、小型のメモリカードを一回り大きな大型メモリカード用のソケットに接続して使用するためのメモリカード用アダプタに関するものである。
【背景技術】
【０００２】
従来より、ＳＤメモリカードやマルチメディアカード（ＭＭＣ）のようなメモリカードが提供されているが、メモリカードを使用する携帯電話器などの電子機器の小型化に伴って、ＳＤメモリカードの外形を一回り小さくしたミニＳＤカード５０やマイクロＳＤカードが提案されている（図５（ａ）（ｄ）参照）。
【０００３】
ミニＳＤカード５０は扁平な略矩形板状であって、ＳＤメモリカードに比べて外形が一回り小さくなっており、後部（挿入側）の一方の角には切欠部５１が形成されている。また、ミニＳＤカード５０の後部裏面には凹所５２が形成され、この凹所５２には複数（ミニＳＤカード５０の場合は１１個）の端子５３，５３ａが並行に配設されている。尚、ミニＳＤカード５０では、将来の拡張性を考慮してＳＤメモリカードよりもＩ／Ｏ接続端子の数を２つ増やしており、図５（ｄ）中の中央にある２つの端子５３ａが拡張機能用に追加された端子である。
【０００４】
このようなミニＳＤカード５０は従来のＳＤカードに比べて外形が一回り小さいので、ＳＤカード用のソケット（図示せず）にミニＳＤカード５０を接続するために、ミニＳＤカード５０を保持してＳＤカード用のソケットに接続され、ミニＳＤカード５０とソケットとの間を電気的且つ機械的に接続するメモリカード用アダプタ１が提供されている（図５（ａ）参照）。
【０００５】
このメモリカード用アダプタ１は、図５（ａ）（ｂ）に示すように、ベース３と、カバー４と、金属シェル５と、ミニＳＤカード５０の備える１１個の端子５３，５３ａの内、拡張用の端子５３ａを除く９個のＩ／Ｏ接続端子５３にそれぞれ接続される９本のコンタクト６と、ライトプロテクト用の摘み８とを主要な構成として備える。
【０００６】
ベース３は合成樹脂成型品からなり、図５（ｂ）に示すように裏面の形状がＳＤメモリカードの片面側の形状に略対応する形状に形成されている。図５（ｄ）に示すようにベース３の前部には略矩形状に凹没したカード収納部３ａが、後部にはコネクタ部３ｂがそれぞれ設けられ、コネクタ部３ｂにはベース３を厚み方向に貫通する矩形の貫通孔３ｃが左右方向に並べて９個形成されている。またベース３の左右方向の片側には、摘み８がスライド移動自在に取り付けられるロック用切欠部３ｄを設けてある。
【０００７】
一方、カバー４は合成樹脂成型品からなり、ＳＤメモリカードの他面側の前部の形状に略対応する形状に形成され、ベース３のコネクタ部３ｂおよび切欠部３ｄを覆うようにして、ベース３に接合される。またベース３のカード収納部３ａは金属シェル５によって覆われており、ベース３とカバー４と金属シェル５とでアダプタ本体２が構成される。また、ベース３とカバー４と金属シェル５とで囲まれる空間（カード収納部３ａ）によりミニＳＤカード５０が挿入されるカード収納室が構成され、ベース３と金属シェル５との間の前側開口からカード挿入口７が構成されている。
【０００８】
各コンタクト６は、後端部が斜め上側に折り曲げられた略短冊状の端子片６ａと、端子片６ａの前端部から延出する固定片６ｂと、固定片６ｂの前端部から前方に向かって突出する接触ばね片６ｃとを一体に形成して構成される。各コンタクト６は、端子片６ａの後端と固定片６ｂとをベース３とカバー４との間に挟んだ状態でベース３とカバー４とを接合することによってアダプタ本体２に固定され、この時各コンタクト６の端子片６ａはベース３の貫通孔３ｃを通して裏面側に露出する。また各コンタクト６の接触ばね片６ｃはカード収納部３ａ内に突出しており、先端に行くほど金属シェル５に近付くように斜めに傾斜している。
【０００９】
このようなメモリカード用アダプタ１にミニＳＤカード５０を接続するに当たっては、ミニＳＤカード５０を正規な方向に向けてメモリカード用アダプタ１のカード挿入口７からカード収納部３ａ内に挿入すると、ミニＳＤカード５０の裏面に設けたＩ／Ｏ接続端子５３に各コンタクト６の弾接ばね片６ｃが摺接して、端子片６ａとＩ／Ｏ接続端子５３とが電気的に接続されるとともに、弾接ばね片６ｃのばね力によってミニＳＤカード５０がカード収納部３ａ内に保持される。一方、ミニＳＤカード５０を取り外す際には、カード挿入口７から露出するミニＳＤカード５０の前部を摘んで手前に引くと、ミニＳＤカード５０をアダプタ１から容易に取り外すことができる。
【００１０】
ところで近年、ＳＤカードやミニＳＤカードに非接触通信の機能を持たせた所謂スマートＳＤカードやミニスマートＳＤカードが提唱され、非接触ＩＣカードに代わる大容量のメモリカードとして実用化が進められているが、ＳＤカードに比べて小形のミニＳＤカードでは、カード自体の大きさが小形のため、カード自体にアンテナを内蔵させた場合は、アンテナの受信感度が低く、所望の通信距離を確保することが困難であった。
【００１１】
このような問題点を解決するために、ミニＳＤカードを装着するメモリカード用アダプタ１に外部アンテナ（ミニＳＤカードが内部アンテナを備えている場合は二次アンテナ）を形成し、ミニＳＤカードに内蔵させた通信回路とアダプタに設けた外部アンテナ又は二次アンテナとを電気的に接続することで、通信距離を伸ばすことが考えられている。例えば特許文献１では、携帯電話器に用いられるＳＩＭ（利用者識別モジュール）カードに非接触通信機能を持たせており、ＳＩＭカードは小型で、カード自体にアンテナを設けた場合は所望の通信距離が確保することができないため、ＩＳＯ７８１０の規格に準じた大きさのＩＣカードと同等の形状を有するアダプタにＳＩＭカードを装着して、アダプタに設けたアンテナとＳＩＭカードの通信回路とを電気的に接続することで、所望の通信距離を確保していた。
【特許文献１】特開２００２−２７９３７７号公報（段落番号［０００６］−［０００８］、及び、第１図）
【発明の開示】
【発明が解決しようとする課題】
【００１２】
上記構成のメモリカード用アダプタでは、アダプタ（ＩＣカード）に設けた接続端子と、ＳＩＭカードが備えるＩ／Ｏ接続端子とを面接触させることで、両端子間の導通を図っているので、両端子間の接触信頼性が低いという問題があった。またＳＩＭカードをＩＣカードと同等の大きさに形成されたアダプタに装着させているため、メモリカードの大きさが大型化し、携帯電話機などの小型の電気機器に使用することができなくなるという問題もあった。
【００１３】
本発明は上記問題点に鑑みて為されたものであり、その目的とするところは、非接触通信機能を有するメモリカードが装着された場合に所望の通信距離を確保することができる小型のメモリカード用アダプタを提供することにある。
【課題を解決するための手段】
【００１４】
上記目的を達成するために、請求項１の発明は、非接触通信機能を有する小型メモリカードを装着して、小型メモリカードよりも外形が大きい大型メモリカード用のソケットに小型メモリカードを電気的且つ機械的に接続するためのメモリカード用アダプタであって、大型メモリカードと略同じ形状に形成され、小型メモリカードを収納するカード収納室を有し、外部よりカード収納室にメモリカードを挿入するためのカード挿入口が一面に開口するアダプタ本体と、それぞれカード収納室に配置され、カード挿入口を通してカード収納室の内部に挿入される小型メモリカードのＩ／Ｏ接続端子に電気的に接続されるとともに、ソケットに装着した際にソケットの接続端子に電気的に接続される複数の導電部材と、アダプタ本体に設けたスルーホールに基部を挿入した状態でカード収納室の内部に配置され、カード挿入口を通してカード収納室の内部に挿入される小型メモリカードのアンテナ接続用端子と弾接する弾接ばね片が先端部に設けられたコンタクトと、アダプタ本体の外表面に設けられスルーホールを介してコンタクトに電気的に接続されるアンテナ回路とを備えて成ることを特徴とする。
【００１５】
この発明によれば、コンタクトの弾接ばね片が小型メモリカードのアンテナ接続用端子に弾接しているので、コンタクトとアンテナ接続用端子との間の接触信頼性を確保でき、小型メモリカードのアンテナ接続用端子とアダプタ本体に設けたアンテナ回路との間の電気的接続の信頼性が向上し、所望の通信距離を確保することができるという効果がある。しかも、コンタクトの基部はアダプタ本体に設けたスルーホールに挿入した状態で取り付けられるので、圧入や半田接合などの周知の方法を用いてコンタクトを取り付けることができる。さらに、コンタクトはスルーホールを介してアダプタ本体の外表面に設けたアンテナ回路に電気的に接続しているので、アンテナ回路がアダプタ本体の外表面に複数ターン形成されたループ状のアンテナパターンで構成される場合でもスルーホールの位置をアンテナパターンの両端部に対応する位置に設けることで、ループ状のアンテナパターンを立体的に交差させることなく、平面的に形成できるから、アンテナ回路を印刷などの方法で容易に形成できるという効果もある。またアンテナ回路は、大型メモリカードと略同じ形状に形成されたアダプタ本体の外表面に形成されているので、アダプタ本体が大型化することはなく、外部アンテナ又は二次アンテナを備えた小型のメモリカード用アダプタを実現することができる。
【００１６】
請求項２の発明は、請求項１の発明において、アンテナ回路は、アダプタ本体の外周縁に沿って外表面に形成されたループ状のアンテナパターンを有することを特徴とする。
【００１７】
この発明によれば、ループ状のアンテナパターンがアンテナ本体の外周縁に沿って形成されているので、ループ状のアンテナパターンの大きさを出来るだけ大きく形成することができ、通信距離をできるだけ伸ばすことができる。
【００１８】
請求項３の発明は、請求項１又は２の発明において、アンテナ回路と小型メモリカードとの間に磁性体を配置したことを特徴とする。
【００１９】
この発明によれば、アンテナ回路と小型メモリカードとの間に磁性体を配置することで、磁束密度が増して、アンテナ特性を向上させることができる。
【００２０】
請求項４の発明は、請求項１乃至３の何れか１つの発明において、アンテナ回路の表面を絶縁体で被覆したことを特徴とする。
【００２１】
この発明によれば、アンテナ回路の表面を被覆した絶縁体により、メモリカード用アダプタを大型メモリカード用のソケットに接続する際にアンテナ回路とソケットの金属部品とが接触して、アンテナ回路とソケットとの間で短絡事故が発生するのを防止することができる。
【００２２】
請求項５の発明は、請求項１乃至４の何れか１つの発明において、アンテナ回路が高周波特性を調整するための電子部品を備えて成ることを特徴とする。
【００２３】
この発明によれば、電子部品によりアンテナ回路の高周波特性を調整することが可能になる。
【００２４】
請求項６の発明は、請求項５の発明において、アダプタ本体の表面に凹部を設け、この凹部内に電子部品を配置したことを特徴とする。
【００２５】
この発明によれば、アダプタ本体の表面に設けた凹部内に電子部品を配置しているので、限られたスペースに効率良く電子部品を配置することが可能になる。
【００２６】
請求項７の発明は、請求項１乃至６の何れか１つの発明において、アダプタ本体の少なくとも一部を、アンテナ回路が形成された立体回路成型部品で構成したことを特徴とする。
【００２７】
この発明によれば、アダプタ本体の少なくとも一部をアンテナ回路が形成された立体回路成型部品で構成しているので、対象とする小型メモリカードの種類に合わせて、アダプタ本体の形状やスルーホールの位置を自在に設計することができる。
【発明の効果】
【００２８】
本発明によれば、コンタクトの弾接ばね片が小型メモリカードのアンテナ接続用端子に弾接しているので、コンタクトとアンテナ接続用端子との間の接触信頼性を確保でき、小型メモリカードのアンテナ接続用端子とアダプタ本体に設けたアンテナ回路との間の電気的接続の信頼性が向上し、所望の通信距離を確保することができるという効果がある。しかも、コンタクトの基部はアダプタ本体に設けたスルーホールに挿入した状態で取り付けられるので、圧入や半田接合などの周知の方法を用いてコンタクトを取り付けることができる。さらに、コンタクトはスルーホールを介してアダプタ本体の外表面に設けたアンテナ回路に電気的に接続しているので、アンテナ回路がアダプタ本体の外表面に複数ターン形成されたループ状のアンテナパターンで構成される場合でもスルーホールの位置をアンテナパターンの両端部に対応する位置に設けることで、ループ状のアンテナパターンを立体的に交差させることなく、平面的に形成できるから、アンテナ回路を印刷などの方法で容易に形成できるという効果もある。またアンテナ回路は、大型メモリカードと略同じ形状に形成されたアダプタ本体の外表面に形成されているので、アダプタ本体が大型化することはなく、外部アンテナ又は二次アンテナを備えた小型のメモリカード用アダプタを実現できるという効果がある。
【発明を実施するための最良の形態】
【００２９】
以下に本発明の実施の形態を図面に基づいて説明する。
【００３０】
本実施形態のメモリカード用アダプタ１は、図５（ａ）に示す従来のメモリカード用アダプタ１と略同様の構成を有し、ベース３と、カバー４と、金属シェル５と、ミニスマートＳＤカード５０の備える１１個の端子５３，５３ａの内、拡張用の端子（アンテナ接続用端子）５３ａを除く９個のＩ／Ｏ接続端子５３にそれぞれ接続される９本のコンタクト６（導電部材）と、拡張用の２個の端子５２ａにそれぞれ接続される２本のコンタクト９と、ライトプロテクト用の摘み８とを主要な構成として備える。尚、ベース３およびコンタクト９以外の構成は図５に示す従来のメモリカード用アダプタと同様であるので、同一の構成要素には同一の符号を付して図示及び説明は省略し、本発明の特徴部分について以下に説明する。
【００３１】
ベース３は合成樹脂成型品からなり、裏面の形状がＳＤメモリカードの片面側の形状に略対応する形状に形成されている。ベース３の前部（挿入側と反対側）には略矩形状に凹没したカード収納部３ａが、後部（挿入側）にはコネクタ部３ｂがそれぞれ設けられ、コネクタ部３ｂにはベース３を厚み方向に貫通する矩形の貫通孔３ｃが左右方向（挿入方向と略直交する方向）に並べて９個形成されている。またベース３の左右方向における片側には、摘み８がスライド移動自在に取り付けられるロック用切欠部３ｄを設けてある。
【００３２】
このベース３には、ミニスマートＳＤカード５０のＩ／Ｏ接続端子５３にそれぞれ接続される９本のコンタクト６と、アンテナ接続用端子５３ａにそれぞれ接続される２本のコンタクト９が取着される。なおコンタクト６の形状は、図５に示す従来のメモリカード用アダプタが備えるコンタクト６と同様であるので、その説明は省略する。
【００３３】
ベース３のコネクタ部３ｂには、ミニスマートＳＤカード５０の備える２個のアンテナ接続用端子５３ａに対応して２個のスルーホール３ｅが形成されており、ベース３の裏面（アダプタ本体２の外表面）には一方のスルーホール３ｅを起点とし、他方のスルーホール３ｅを終点とするループ状のアンテナパターン１０が複数ターン（例えば３ターン）形成されている。なお、図２（ａ）の形態ではアンテナパターン１０が形成されたフレキシブルプリント基板１１をベース３の裏面に貼り付けているが、アンテナパターン１０を印刷技術（例えばスクリーン印刷やインクジェット印刷）を用いてベース３の裏面に形成しても良い。
【００３４】
一方、アンテナ接続端子に接続される２本のコンタクト９は、図１及び図２（ａ）に示すように、ベース３のコネクタ部３ｂに設けたスルーホール３ｅに縦棒部分を通してスルーホール３ｅに半田接合される逆Ｊ字状の固定片９ａと、固定片９ａの先端部から前方に向かって突出する弾接ばね片９ｂとを一体に形成して構成され、基部（固定片９ａ）をスルーホール３ｅ内に挿入した状態でカード収納部３ａ内に配置される。各コンタクト９の弾接ばね片９ｂはカード収納部３ａ内に突出しており、先端に行くほど金属シェル５に近付くように斜めに傾斜しており、カード収納部３ａ内にスマートミニＳＤカード５０を挿入すると、弾接ばね片９ａがスマートミニＳＤカード５０の備えるアンテナ接続端子５３ａに弾接する。
【００３５】
スルーホール３ｅには、孔の内周面の全体に導電部（図示せず）が形成されており、固定片９ａはスルーホール３ｅにおける裏面側（図２中の下面側）の端部で半田ペースト１２により半田接合され、コンタクト９とアンテナパターン１０とが電気的に接続されている。このように、コンタクト９はスルーホール３ｅを介してアダプタ本体２の外表面に形成されたアンテナ回路に電気的に接続されているので、アンテナ回路が複数ターン形成されたループ状のアンテナパターン１０で構成される場合でもスルーホールの位置をアンテナパターン１０の両端部に対応する位置に設けることで、ループ状のアンテナパターン１０を立体的に交差させることなく、平面的に形成できるから、アンテナ回路を印刷などの方法で容易に形成できる。またアンテナパターン１０は、ＳＤカードと略同じ形状に形成されたアダプタ本体２の外表面に形成されているので、アダプタ本体２が大型化することはなく、外部アンテナ又は二次アンテナを備えた小型のメモリカード用アダプタを実現できる。
【００３６】
なお、スルーホール３ｅの孔の内周面には導電部が全体に形成されているので、固定片９ａとスルーホール３ｅとを電気的に接続する際に、固定片９ａをスルーホール３ｅにおける表面側の端部で半田ペースト等により半田接合しても良く、スルーホール３ｅの裏面側の端部、表面側の端部、又は中間部の何れの部位でも固定片９ａとの電気的接続を図ることができる。従ってコンタクト９の組立の自由度が向上し、より製造し易い構造にベース３およびコンタクト９を形成することができる。また、図２（ｃ）に示すようにベース３の裏面側においてスルーホール３ｅの周りに凹部３ｆを形成しても良く、この場合には凹部３ｆ内で固定片９ａをスルーホール３ｅに半田ペースト１２により接合すれば良い。
【００３７】
また固定片９ａを圧入によりスルーホール３ｅに固定しても良く、固定片９ａをスルーホール３ｅに圧入する場合には、固定片９ａの側面にノッチ等を形成して、スルーホール３ｅに圧入すれば良い。なお固定片９ａをスルーホール３ｅに圧入する場合、圧入に加えて固定片９ａをかしめることで、コンタクト９の保持強度を高めることも好ましく、組立中や組立完了後もベース３に対してコンタクト９を確実に保持させることができる。固定片９ａをかしめにより固定する場合には、図２（ｂ）に示すようにスルーホール３ｅから裏面側の突出する固定片９ａの先端を側方に曲げることによって、固定片９ａをベース３に固定しても良いし、固定片９ａの先端（ダボ）を潰すことによってベース３に固定しても良いし（ダボかしめ）、固定片９ａの先端にＶノッチを形成して先端部の幅を広げることによりベース３に固定しても良い。なお、図２（ｂ）（ｃ）では図示を簡単にするため、アンテナパターン１０の図示を省略してある。
【００３８】
ところで、図３（ａ）に示すようにベース３とアンテナパターン１０との間に四角枠状に形成された薄膜の磁性体シート１３を配置するのも好ましく、ベース３とアンテナパターン１０との間に磁性体シート１３を挟むことによって磁束密度が増し、非接触通信の通信距離を伸ばすことができる。上述のようにアンテナパターン１０は平面的に形成されているので、アンテナパターン１０とベース３との間に磁性体シート１３を容易に介装することができ、また磁性体シート１３の表面にアンテナパターン１０を形成することも可能になる。なお磁性体シート１３は、アンテナパターン１０が形成されているベース３の部位のみに配置しても良いし、ベース３の裏面の略全体に配置しても良い。また、べース３の厚みを薄くすれば、ベース３の裏面に取り付ける磁性体シート１３の厚みをその分だけ厚くすることができ、磁性体シート１３の厚みを厚くすることで磁束密度を増やして、非接触通信の通信距離をさらに伸ばすことが可能になる。但しベース３の厚みを薄くすると、ベース３の強度が低下するので、磁性体シート１３の代わりに、強度の高い板状の磁性体を用い、厚みを薄くしたベース３に磁性体を貼り付けることによって、ベース３の強度を確保しつつ、非接触通信の距離を伸ばすこともできる。また、一般的に磁性体シート１３に比べて板状の磁性体の方が磁性体物質の密度が高いので、磁束密度がさらに増え、非接触通信の通信距離をさらに伸ばすことができる。なおベース３に磁性体シート１３や板状の磁性体を貼り付ける代わりに、アンテナパターン１０が形成されるベース３の部位、或いはベース３の裏面のほぼ全体を板状の磁性体で構成しても良く、板状の磁性体の厚みをさらに厚くできるので、通信距離を伸ばす効果をさらに高めることができる。
【００３９】
また、図３（ｂ）に示すようにアンテナパターン１０の表面を覆うようにして絶縁体層１４を形成するのも好ましく、絶縁体層１４によりアンテナパターン１０の表面を絶縁することによって、メモリカード用アダプタ１をソケット（図示せず）に挿入する際にアンテナパターン１０がソケットの金属部品に接触して短絡などの事故が発生するのを防止することができる。絶縁体層１４は、アンテナパターン１０の表面に絶縁性の接着剤を塗布することによって形成しても良いし、アンテナパターン１０の表面に絶縁テープを貼り付けて形成しても良い。また絶縁体層１４は、アンテナパターン１０が形成されているベース３の部位のみに形成しても良いし、ベース３の裏面の略全体に形成しても良い。なおアンテナパターン１０は平面的に形成されているので、絶縁性の接着剤を塗布したり、絶縁テープを貼り付ける絶縁処理が１回で済み、絶縁体層１４を容易に形成できるので、安価に製造することができる。
【００４０】
また上述の実施形態において、図４（ａ）に示すように２本のコンタクト９の固定片９ａにおいてスルーホール３ｅから表面側に突出する部位の間に電子部品（例えばチップコンデンサ）１５を実装し、この電子部品１５によってアンテナパターン１０の高周波特性を調整することもでき、アンテナパターン１０の高周波特性を使用条件に合わせて最適に調整することができる。ここに、アンテナパターン１０と電子部品１５とでアンテナ回路が構成される。
【００４１】
なお、図４（ａ）に示す形態では電子部品１５を各コンタクト９の固定片９ａに直接実装しているが、スルーホール３ｅ，３ｅの同じ側の端部に実装用回路を形成して電子部品１５を実装しても良く、図４（ｂ）に示すようにベース３の裏面側においてスルーホール３ｅ，３ｅ間に電子部品１５を実装しても良い。また、ベース３の裏面側において、スルーホール３ｅ，３ｅの周りに深さ寸法が電子部品１５の高さ寸法と略同じ凹部１６を形成して、この凹部１６内で両スルーホール３ｅ，３ｅの間に電子部品１５を実装しても良く、限られたスペースに電子部品１５を効率良く実装できるので、回路構成を簡単にできる。
【００４２】
なお本実施形態では合成樹脂製のベース３の表面に印刷によりアンテナパターン１０を形成しているが、アンテナ回路が導電めっきにより形成された立体回路成型部品（ＭＩＤ）でベース３を構成しても良く、アダプタ本体２の一部又は全体を立体回路成形部品で構成することによって、この立体回路成形部品にアンテナ回路を直接形成でき、またベース３の凹凸形状やスルーホールの位置などを自在に設計することができるから、メモリカードの種類に対応してアダプタ本体２の形状を適宜設計することが出来る。
【００４３】
ところで、本実施形態ではミニスマートＳＤカード５０に対応したメモリカード用アダプタ１を例に説明を行ったが、メモリカード用アダプタ１の対応するメモリカードをミニスマートＳＤカードに限定する趣旨のものではなく、マイクロスマートＳＤカードや他の非接触通信機能を有するメモリカードに対応したメモリカード用アダプタについても本実施形態と同様に構成することが可能である。
【００４４】
なお、本発明の精神と範囲に反することなしに、広範に異なる実施形態を構成することができることは明白なので、この発明は、特定の実施形態に制約されるものではない。
【図面の簡単な説明】
【００４５】
【図１】本実施形態のメモリカード用アダプタに用いるベースを示し、（ａ）は表側から見た斜視図、（ｂ）は裏側から見た斜視図である。
【図２】（ａ）〜（ｃ）は同上の要部の断面図である。
【図３】（ａ）（ｂ）は同上に用いるベースの他の構成の斜視図である。
【図４】（ａ）は同上に用いるベースを表側から見た要部斜視図、（ｂ）（ｃ）は同上に用いるベースを裏側から見た要部斜視図である。
【図５】（ａ）は従来のメモリカード用アダプタにミニＳＤカードを挿入する前の状態の説明図、（ｂ）は従来のメモリカード用アダプタに用いるベースを裏側から見た斜視図、（ｃ）はベースを表側から見た斜視図、（ｄ）はミニＳＤカードを裏側から見た外観斜視図である。
【符号の説明】
【００４６】
１  メモリカード用アダプタ
２  アダプタ本体
３  ベース
３ａ  カード収納部
３ｅ  スルーホール
４  カバー
５  金属シェル
６，９  コンタクト
７  カード挿入口
９ｂ  弾接ばね片
１０  アンテナパターン
【図１】
2006318217.tif 000003
【図２】
2006318217.tif 000004
【図３】
2006318217.tif 000005
【図４】
2006318217.tif 000006
【図５】
2006318217.tif 000007